(57)【要約】      （修正有）【課題】動物愛好家向けの動物用アクセサリーとしてのキーホルダー型装身具、及び縁起文字を施したキーホルダー型携行物品の提供。【解決手段】金属性キーホルダー型装身具の上部に金属製上蓋６を開閉するためのヒンジ３を取り付ける。金属性キーホルダー型装身具に極細ワイヤー５を接合して、装着用リング４を取り付ける。金属性キーホルダー型装身具の表面に鏡面仕上をした動物図案７、かな文字８、逆さ漢字文字９を打刻する。鏡面仕上げしたのちに、表面を白色ロジウム・コーティングを施す。金属性キーホルダー型装身具の表面下部に、高輝度ライト１０を取り付け、照明孔を空ける。高輝度ライト１０に、装身具本体内部の底部に取り付けられたリチウム電池１１を動力源とし、伝導線１２によってバッテリーを供給する。【選択図】図２
0003135065.tif 000002
【実用新案登録請求の範囲】
【請求項１】
鏡面仕上で縁起文字・図案を打刻した、ロジウム・コーティングを施した金属製のキーホルダー型装身具。
【請求項２】
さかさ表記をした動物の縁起文字を含む文字・図案を配した、キーホルダー型携行物品。
【考案の詳細な説明】
【考案の詳細な説明】
【技術分野】
【０００１】  本考案は、金属表面にロジウム・コーティングを施した縁起文字を鏡面仕上により加工した動物愛好家向けの動物用アクセサリーとしてのキーホルダー型装身具、及び縁起文字を施したキーホルダー型携行物品に属するものである。
【背景技術】
【０００２】  販売者側から見て、金属表面に鏡面仕上を施した既存のキーホルダー型装身具の主たる利用分野は、需要者の個々の注文に応じてデザインや文字を打刻加工するものであった。よって販売者側から積極的に金属製のキーホルダー型装身具を提供するという意識が希薄であり、業界において顕著な量的販売効果を挙げずに現在に至っている。商品本体には、金属本体が持つ万人が認める高級感があり、金属表面に鏡面仕上を施したデザインや文字を融合させると相乗効果を生じうる。けだし販売者側の市場提供を主導的要素に転じる可能性は高いのであるが、具体的な画策は皆無に等しい状態である。一方、需要者は、自己の愛好する動物の関連商品について興味が深い。しかしながら、需要者各々のペットに関わるデザインや文字を打刻加工した金属製のキーホルダー型装身具を注文・依頼する際、加工先は一定のかなり狭い範囲に制限されることとなっていた。かような需要者の購入目的と、製造者側の当該商品に関わる拡販のための意図が、合致することが困難なのが現況である。客観的に市場において、鏡面仕上された金属製のキーホルダー型装身具は、その美的外観価値に反して充分に機能しているとはいえない。
【考案が解決しようする課題】
【０００３】  キーホルダー型装身具本体と金属表面における鏡面仕上加工されたデザインや文字に卓越した融合性を兼備させ、その美的外観特質を市場において有効に発揮させるようにしなければならない。需要者側の購買意欲を促すためである。
【０００４】  本来用いられているキーホルダー型装身具本体部に付されているデザインや文字以外の、多様なデザインを施すべく、企画立案しなければならない。幅広い需要者層に対し、本願装身具の魅力を訴え、産業上の利用価値を高めるためである。
【０００５】  キーホルダー型装身具本体と、金属表面における鏡面仕上加工されたデザインや文字との融合性を高めることにより、本来、日本の伝統的な「縁起もの」として普及している「絵馬」や「お守り札」の観念を導入すれば、需要者側に対して新たな興味喚起を与える商品構成となりうる可能性がある。既存の日本の伝統的「絵馬」や「お守り札」に変わる、差別化された商品、ならびに利用範囲の拡充を達成するべく、物品構成しなければならない。
【０００６】  動物用の装身具として本考案を用いた場合、美的外観とともに、機能的用途の側面を兼備しなければならない。キーホルダー型装身具の利用を単なるアクセサリーという側面にとどまらせず、機能的側面の効果を発揮させるためである。
【０００７】  縁起文字を施したキーホルダー型携行物品として本考案を用いた場合、装飾品としての美的外観とともに、機能的用途の側面を兼備しなければならない。キーホルダー型携行物品の利用をアクセサリーという側面に機能的側面を加え、相乗効果を発揮させることにより、多方面の需要者側の購買意欲を引き出すためである。
【課題を解決するための手段】
【０００８】  金属製のキーホルダー型装身具本体１の縦の長さは、３〜１０ｃｍ、横幅は１〜３ｃｍ、本体側面２の厚さは３〜１０ｍｍ程度とする。用途に応じて、左記範囲で調整製作する。金属の材質はアルミニウム、チタン、純銀、真鍮、白銀、金の６種類がキーホルダー型装身具として、代表的な材質と言える。また、キーホルダー型装身具、及び携行物品として、木材質・石材質を使用することも可能である。
【０００９】  金属性キーホルダー型装身具の上部に金属製上蓋６を開閉するためのヒンジ３を取り付ける。装身具の内部に動物、または動物の保有者等の連絡先データーを収納可能にするためである。
【００１０】  金属性キーホルダー型装身具に極細ワイヤー５を接合して、装着用リング４を取り付ける。携帯電話用のアクセサリー等に使用する際には、装着用リング４に変えて、ストラップ状の装着物を取り付けることも可能である。
【００１１】  金属性キーホルダー型装身具の表面に鏡面仕上をした動物図案７、かな文字８、逆さ漢字文字９を打刻する。鏡面仕上げしたのちに、図４の側面図にあるように、表面を白色ロジウム・コーティング１５を施す。キーホルダー型装身具として、木製材質を使用した場合は、漆盛りによる面図案仕上げも可能である
【００１２】  金属性キーホルダー型装身具の表面下部に、高輝度ライト１０を取り付け、照明孔を空ける。高輝度ライト１０に、装身具本体内部の底部に取り付けられたリチウム電池１１を動力源とし、伝導線１２によってバッテリーを供給する。
【００１３】  金属性キーホルダー型装身具の裏面に、鏡面仕上をした縁起文字８等を配置する。鏡面仕上げしたのちに、図４の側面図にあるように、表面を白色ロジウム・コーティング１４を施してもよい。
【考案を実施するための最良の形態】
【００１４】  装着用リング４により、金属性キーホルダー型装身具本体を動物の首輪等に装着する。夜間における必要時には、高輝度ライト点灯ボタン・スイッチ１３により、高輝度ライト１０を発光させる。【００１５】  携帯電話用のアクセサリー等に使用する際には、装着用リング４に変えて、ストラップ状の装着物を取り付け使用する。【００１６】  金属性キーホルダー型装身具の上部の金属製上蓋６を開閉し、装身具の内部に動物、または動物の保有者等の連絡先データーを収納可能にする。この場合個人情報保護のため、セキュリティー・コードを記したデーターを用いることも考えうる。伝書鳩に装着する際は、装身具の内部にＩＣチップ程度の情報媒体物を収納することも可能である。【００１７】  金属性キーホルダー型装身具の材質は、アルミニウムが望ましい。鏡面仕上による打刻加工が、最も容易かつ作業効率上適しているからである。【００１８】  なお、従来の金属板形状による本考案の概念導入も可能である。その場合、装身具の内部に動物、または動物の保有者等の連絡先データー等の収納は不可能である。（図５、６）ただし、金属性キーホルダー型装身具の材質は、アルミニウム以外に、チタン、純銀、真鍮、白銀、金といったように価格や用途に応じて、幅広く選択可能となる。よって、販売者側・需要者側双方も選択肢が広がる。【００１９】  チタンを材料にした場合、チタンから発するイオン効果により、装着する側にとっても、健康増進効果が期待できる。また、チタンや、白銀を選択した場合に、金属アレルギー者も安心して装着できうる。【００２０】  金属板形状による金属性キーホルダー型装身具を選択した場合、高輝度ライトやリチウム電池取り付けは不可能となるので、代替として、高精度蛍光シール１６を貼付けしたうえで、白色ロジウム・コーティングを施す。
【考案の効果】
本考案は、以上説明したように構成されているので、以下に記載されるような効果を奏する。
【００２１】さかさ漢字文字は、古来より縁起のよいものとされている。よって、犬や猫等ペット愛好者向けの、動物用装身具としての需要を期待できる。なお、高輝度ライトの発光により、ペットの交通事故を回避する効果も生じる。
【００２２】  さかさ漢字文字は、古来より縁起のよいものとされているので、畜産農家の牛や競走馬飼育者向けの、動物用装身具としての需要を期待できる。
【００２３】  またロジウム・コーティングした動物図案やさかさ漢字文字があることから、装飾品としての美的価値も高く、動物園等のノベルティーグッズとしての需要を期待できる。
【００２４】  伝書鳩に装着する際は、情報媒体物を運搬することも可能である。
【００２５】  漢字文字、かな等のデザインを施すことにより、外国人向けの土産品等新規産業上利用を拡大できる。さらに、ロジウム・コーティングした動物・文字図案が鏡面仕上げによる効果と相まって、美的工芸物として、携帯電話用小型携行物品、キーホルダー、その他アクセサリーとしての需要を最大限に発揮できる。
【００２６】  さかさ漢字文字は、古来より縁起のよいものとされており、本体裏面の縁起文字による「お守り・祈祷品」としての商品効果から、企業等向けのノベルティー商品としての産業上利用が可能となる。
【００２７】チタンを材料にした場合、チタンから発するイオン効果により、装着された動物、またアクセサリーとして利用する人間にとっても、健康増進効果が期待できる。また、チタンや、白銀を選択した場合に、金属アレルギー者も安心して装着できうる。よって、キーホルダー型携行物品は、健康増進嗜好者にとっても、イオン発生による効果的が期待でき、スポーツ・アスレチックス業界においても、利用価値は高い。
【図面の簡単な説明】
【図１】鏡面仕上でデザインや文字を施した、金属製のキーホルダー型装身具の正面図である。
【図２】鏡面仕上でデザインや文字を施した、金属製のキーホルダー型装身具の内部にリチウム電池と、高輝度ライトに接続す伝導線示した金属製のキーホルダー型装身具の表面図である。
【図３】鏡面仕上でデザインや文字を施した、金属製のキーホルダー型装身具の裏面図である。
【図４】鏡面仕上でデザインや文字を施した、白色ロジウム・コーティングした金属製のキーホルダー型装身具の側面図である。
【図５】金属板形状による金属製のキーホルダー型装身具の表面図である。
【図６】金属板形状による金属製のキーホルダー型装身具の裏面図である。
【符号の説明】
１  鏡面仕上で縁起文字・図案を施し、ロジウム・コーティングした金属製のキーホルダー型装身具の正面図
２  鏡面仕上で縁起文字・図案を施し、ロジウム・コーティン金属製のキーホルダー型装身具の側面部分
３  蓋開閉用ヒンジ
４  装着用リング
５  装着用リング取付ワイヤー
６  金属製上蓋
７  鏡面仕上を施した動物図案
８  鏡面仕上を施したかな文字
９  鏡面仕上を施したさかさ漢字文字
１０  高輝度ライト
１１  リチウム電池
１２  伝導線
１３  高輝度ライト発光ボタン・スイッチ
１４  鏡面仕上を施した裏面の縁起文字
１５  白色ロジウム・コーティング
１６  高精度蛍光シール
【図１】
0003135065.tif 000003
【図２】
0003135065.tif 000004
【図３】
0003135065.tif 000005
【図４】
0003135065.tif 000006
【図５】
0003135065.tif 000007
【図６】
0003135065.tif 000008
【手続補正書】
【提出日】平成19年3月27日(2007.3.27)
【手続補正１】
【補正対象書類名】図面
【補正対象項目名】図２
【補正方法】変更
【補正の内容】
【図２】
0003135065.tif 000009
【手続補正２】
【補正対象書類名】図面
【補正対象項目名】図６
【補正方法】変更
【補正の内容】
【図６】
0003135065.tif 000010
【手続補正書】
【提出日】平成19年6月5日(2007.6.5)
【手続補正１】
【補正対象書類名】実用新案登録請求の範囲
【補正対象項目名】全文
【補正方法】変更
【補正の内容】
【実用新案登録請求の範囲】
【請求項１】
鏡面仕上で縁起文字・図案を打刻した、ロジウム・コーティングを施した金属性のキーホルダー型装身具。
【請求項２】
さかさ表記をした動物の縁起文字を含む文字・図案を特徴とする請求項１記載のキーホルダー型装身具。